(57)【特許請求の範囲】
【請求項１】
被処理物を濃縮器で濃縮するための濃縮機構と、濃縮機構で被処理物を濃縮させる際に生じる蒸気を圧縮するとともにその圧縮蒸気を濃縮機構の濃縮器に還流させるための圧縮機構とを有し、前記圧縮蒸気で被処理物を濃縮する直接加圧型ヒートポンプ式濃縮システムにおいて、
濃縮機構は、ケーシングの下部に被処理物を貯留する貯留槽と濃縮した被処理物を貯留する回収槽とをそれぞれ区画して形成し、ケーシングの中途部に中空状の水平回転軸に中空状の垂直円板を連通させた濃縮器を回転可能に設け、ケーシングの上部に貯留槽に貯留した被処理物を濃縮器の垂直円板の表面に向けて吐出する吐出ノズルを設け、吐出ノズルを貯留槽に循環ポンプを介して接続して貯留槽の被処理物を垂直円板に循環して供給することを特徴とする直接加圧型ヒートポンプ式濃縮システム。
【請求項２】
前記垂直円板の表面に付着した被処理物を掻き取るためのスクレーパーを前記回収槽の直上方位置に設けたことを特徴とする請求項１に記載の直接加圧型ヒートポンプ式濃縮システム。
【発明の詳細な説明】
【技術分野】
【０００１】
本発明は、直接加圧型ヒートポンプ式濃縮システムに関するものである。
【背景技術】
【０００２】
従来の直接加圧型ヒートポンプ式濃縮システムは、被処理物を濃縮器で濃縮するための濃縮機構と、濃縮機構で被処理物を濃縮させる際に生じる蒸気を圧縮するとともにその圧縮蒸気を濃縮機構に還流させるための圧縮機構とを有する構成となっている。
【０００３】
そして、直接加圧型ヒートポンプ式濃縮システムは、濃縮機構で被処理物を濃縮させた際に生じた蒸気を圧縮機構で圧縮し、その圧縮蒸気を用いて濃縮機構で被処理物を濃縮するようにしている。
【０００４】
この従来の直接加圧型ヒートポンプ式濃縮システムにおける濃縮機構では、被処理物を圧縮蒸気で加熱するための加熱缶と、被処理物を加熱缶で加熱することで生じた蒸気を分離するための蒸発缶とを有している。加熱缶は、内部に上下に伸延する複数本の加熱パイプを収容して、加熱パイプの内部を通過させる被処理物を加熱パイプの外部を通過させる蒸気で濃縮するように構成している。また、蒸発缶は、加熱パイプの先端部に連通して、加熱パイプの内部を通過した被処理物と加熱パイプの内部で加熱により生じた蒸気とに分離するように構成している。
【先行技術文献】
【特許文献】
【０００５】
【特許文献１】特開２００５−１１１３２０号公報
【発明の概要】
【発明が解決しようとする課題】
【０００６】
ところが、上記従来の直接加圧型ヒートポンプ式濃縮システムでは、濃縮機構が被処理物を加熱する加熱缶と加熱によって生じた蒸気を分離する蒸発缶とに分離して構成していたために、装置が大型化してしまい、装置の設置スペースが制約されてしまうおそれがあった。
【０００７】
また、上記従来の直接加圧型ヒートポンプ式濃縮システムでは、加熱パイプの内部を被処理物が加熱されながら通過する構成となっていたために、加熱パイプの内側表面に乾燥した被処理物が付着してしまい、熱交換の効率が低減してしまうおそれがあるとともに、メンテナンス作業に多大な労力や時間を要するおそれがあった。
【課題を解決するための手段】
【０００８】
そこで、請求項１に係る本発明では、被処理物を濃縮器で濃縮するための濃縮機構と、濃縮機構で被処理物を濃縮させる際に生じる蒸気を圧縮するとともにその圧縮蒸気を濃縮機構の濃縮器に還流させるための圧縮機構とを有し、前記圧縮蒸気で被処理物を濃縮する直接加圧型ヒートポンプ式濃縮システムにおいて、濃縮機構は、ケーシングの下部に被処理物を貯留する貯留槽と濃縮した被処理物を貯留する回収槽とをそれぞれ区画して形成し、ケーシングの中途部に中空状の水平回転軸に中空状の垂直円板を連通させた濃縮器を回転可能に設け、ケーシングの上部に貯留槽に貯留した被処理物を濃縮器の垂直円板の表面に向けて吐出する吐出ノズルを設け、吐出ノズルを貯留槽に循環ポンプを介して接続して貯留槽の被処理物を垂直円板に循環して供給することにした。
【０００９】
また、請求項２に係る本発明では、前記請求項１に係る本発明において、前記垂直円板の表面に付着した被処理物を掻き取るためのスクレーパーを前記回収槽の直上方位置に設けることにした。 
【発明の効果】
【００１０】
そして、本発明では、以下に記載する効果を奏する。
【００１１】
すなわち、本発明では、被処理物を濃縮器で濃縮するための濃縮機構と、濃縮機構で被処理物を濃縮させる際に生じる蒸気を圧縮するとともにその圧縮蒸気を濃縮機構に還流させるための圧縮機構とを有し、前記圧縮蒸気で被処理物を濃縮する直接加圧型ヒートポンプ式濃縮システムにおいて、濃縮機構は、ケーシングの下部に被処理物を貯留する貯留槽を設け、ケーシングの中途部に中空状の水平回転軸に中空状の垂直円板を連通させた濃縮器を回転可能に設け、ケーシングの上部に貯留槽に貯留した被処理物を濃縮器の垂直円板の表面に向けて吐出する吐出ノズルを設けることにしているために、濃縮機構のケーシングの内部で被処理物の濃縮と蒸気の分離とを行うことができるので従来の加熱缶と蒸発缶とを一体的に形成することができ、直接加圧型ヒートポンプ式濃縮システムの小型化を図ることができる。
【００１２】
特に、垂直円板の表面に付着した被処理物を掻き取るためのスクレーパーを設けることにした場合には、垂直円板の表面に被処理物が付着してしまうのを防止することができるので、直接加圧型ヒートポンプ式濃縮システムにおける熱交換の効率の低減を防止し、また、直接加圧型ヒートポンプ式濃縮システムのメンテナンスに要する労力や時間を低減させることができる。
【図面の簡単な説明】
【００１３】
【図１】本発明に係る直接加圧型ヒートポンプ式濃縮システムを示す説明図。
【発明を実施するための形態】
【００１４】
以下に、本発明に係る直接加圧型ヒートポンプ式濃縮システムの具体的な構成について図面を参照しながら説明する。
【００１５】
図１に示すように、直接加圧型ヒートポンプ式濃縮システム１は、被処理物２を濃縮器３で濃縮するための濃縮機構４と、濃縮機構４で被処理物２を濃縮させる際に生じる蒸気S1を圧縮機５で圧縮するとともにその圧縮蒸気S2を濃縮機構４に還流させるための圧縮機構６と、圧縮蒸気S2を外部へ排出するための排出機構７と、被処理物２を濃縮機構４に供給するための供給機構８と、濃縮機構４で濃縮した被処理物2'を回収するための回収機構９とで構成している。
【００１６】
これら直接加圧型ヒートポンプ式濃縮システム１を構成する濃縮機構４、圧縮機構６、排出機構７、供給機構８、回収機構９の構成について以下に順に説明する。
【００１７】
まず、濃縮機構４の構成について説明すると、濃縮機構４は、中空状のケーシング10の下部（底部）に被処理物２を貯留しておくための貯留槽11と濃縮した被処理物2'を貯留するための回収槽12とをそれぞれ区画して形成している。
【００１８】
また、濃縮機構４は、ケーシング10の中途部に濃縮器３を回転自在に取付けている。
【００１９】
この濃縮器３は、水平方向に向けて伸延する中空円筒状の水平回転軸13の中央部に垂直方向に向けて伸延する中空円板状の垂直円板14を中空部同士を連通させた状態で取付けている。
【００２０】
濃縮機構４は、ケーシング10に濃縮器３の水平回転軸13の両端部をスイベルジョイント15,15を介して回転可能に軸支するとともに、水平回転軸13に駆動モーター16を連動機構17を介して接続している。
【００２１】
また、濃縮機構４は、ケーシング10の回収槽12の直上方位置にスクレーパー18を垂直円板14の表面に密着させた状態で取付けている。
【００２２】
さらに、濃縮機構４は、ケーシング10の上部に被処理物２を垂直円板14の表面に向けて吐出するための一対の吐出ノズル19,19を取付けている。
【００２３】
そして、濃縮機構４は、駆動モーター16を駆動することで濃縮器３を回転させ、吐出ノズル19,19から吐出した被処理物２を濃縮器３の垂直円板14の表面で加熱して濃縮し、濃縮した被処理物2'をスクレーパー18で垂直円板14の表面から掻き取りながら回収するようにしている。
【００２４】
次に、圧縮機構６の構成について説明すると、圧縮機構６は、濃縮機構４のケーシング10の上部（天井部）に形成した蒸気出口20に圧縮機５を連結管21を介して接続するとともに、圧縮機５に濃縮器３を連結管22及びスイベルジョイント15を介して接続している。
【００２５】
また、圧縮機構６は、予備蒸気S0を供給するための蒸気供給源23を連結管22に開閉バルブ24を介して接続している。
【００２６】
そして、圧縮機構６は、蒸気供給源23から供給される予備蒸気S0を濃縮機構４の濃縮器３に供給するとともに、濃縮機構４で被処理物２を濃縮する際に生じた蒸気S1を圧縮機５で圧縮し、その圧縮蒸気S2を濃縮機構４の濃縮器３に供給して、濃縮器３を加熱するようにしている。
【００２７】
次に、排出機構７の構成について説明すると、排出機構７は、濃縮機構４の濃縮器３に気液分離器25を連結管26及びスイベルジョイント15を介して接続し、気液分離器25で分離した気体と液体とをそれぞれ排出ポンプ27,28で外部へ排出するようにしている。
【００２８】
そして、排出機構７は、濃縮機構４の濃縮器３を加熱するために使用した予備蒸気S0又は圧縮蒸気S2を気液分離して外部へ排出するようにしている。
【００２９】
次に、供給機構８の構成について説明すると、供給機構８は、被処理物２を供給するための被処理物供給源29に濃縮機構４の貯留槽11に形成した供給口30を供給管31と開閉バルブ32を介して接続している。
【００３０】
また、供給機構８は、濃縮機構４の貯留槽11に形成した循環出口33と吐出ノズル19,19とを往路管34と循環ポンプ35を介して接続するとともに、吐出ノズル19,19と濃縮機構４の貯留槽11に形成した循環入口36とを復路管37を介して接続している。
【００３１】
そして、供給機構８は、被処理物供給源29から供給される被処理物２を濃縮機構４の貯留槽11に貯留しておくとともに、貯留槽11に貯留した被処理物２を循環ポンプ35で往路管34及び復路管37を循環させ、一部を吐出ノズル19,19から垂直円板14の表面に向けて吐出するようにしている。
【００３２】
次に、回収機構９の構成について説明すると、回収機構９は、濃縮機構４の回収槽12に形成した回収口38に回収ポンプ39を連結管40を介して接続している。
【００３３】
そして、回収機構９は、回収ポンプ39を駆動することで、回収槽12に回収した濃縮後の被処理物2'を回収するようにしている。
【００３４】
直接加圧型ヒートポンプ式濃縮システム１は、以上に説明したように構成しており、以下に説明するようにして被処理物２を濃縮する。
【００３５】
まず、直接加圧型ヒートポンプ式濃縮システム１は、開閉バルブ24を開放状態として蒸気供給源23から供給される予備蒸気S0を濃縮器３の内部に供給して垂直円板14を加熱するとともに、駆動モーター16を駆動して垂直円板14を回転させる。
【００３６】
また、直接加圧型ヒートポンプ式濃縮システム１は、開閉バルブ32を開放状態として被処理物供給源29から供給される被処理物２を貯留槽11に貯留する。
【００３７】
その後、直接加圧型ヒートポンプ式濃縮システム１は、循環ポンプ35を駆動して貯留槽11に貯留した被処理物２を吐出ノズル19,19から垂直円板14の表面に向けて吐出する。
【００３８】
これにより、直接加圧型ヒートポンプ式濃縮システム１では、被処理物２が予備蒸気S0で加熱された垂直円板14の表面に接触し、熱伝導によって加熱され、被処理物２に含有される水分が蒸気S1となって蒸気出口20から排出される。
【００３９】
そして、直接加圧型ヒートポンプ式濃縮システム１では、蒸気出口20から排出された蒸気S1が圧縮機５で圧縮されることで加熱され、その圧縮蒸気S2が濃縮器３の内部に供給され、これにより、濃縮器３がさらに加熱される。
【００４０】
そのため、直接加圧型ヒートポンプ式濃縮システム１では、加熱された濃縮器３の垂直円板14の表面で被処理物２を良好に濃縮することができ、濃縮した被処理物2'をスクレーパー18で掻き取るようにして回収槽12に回収することができる。
【００４１】
以上に説明したように、上記直接加圧型ヒートポンプ式濃縮システム１は、被処理物２を濃縮器３で濃縮するための濃縮機構４と、濃縮機構４で被処理物２を濃縮させる際に生じる蒸気S1を圧縮するとともにその圧縮蒸気S2を濃縮機構４に還流させるための圧縮機構６とを有し、圧縮蒸気S2で被処理物２を濃縮するように構成している。
【００４２】
しかも、上記直接加圧型ヒートポンプ式濃縮システム１の濃縮機構４は、ケーシング10の下部に被処理物２を貯留する貯留槽11を設け、ケーシング10の中途部に中空状の水平回転軸13に中空状の垂直円板14を連通させた濃縮器３を回転可能に設け、ケーシング10の上部に貯留槽11に貯留した被処理物２を濃縮器３の垂直円板14の表面に向けて吐出する吐出ノズル19,19を設けた構成となっている。
【００４３】
そのため、上記構成の直接加圧型ヒートポンプ式濃縮システム１では、濃縮機構４のケーシング10の内部で被処理物２の濃縮と蒸気S1の分離とを行うことができるので、従来の加熱缶と蒸発缶とを一体的に形成することができ、直接加圧型ヒートポンプ式濃縮システム１の小型化を図ることができる。
【００４４】
また、上記直接加圧型ヒートポンプ式濃縮システム１では、垂直円板14の表面に付着した被処理物２を掻き取るためのスクレーパー18を設けた構成となっている。
【００４５】
そのため、上記構成の直接加圧型ヒートポンプ式濃縮システム１では、垂直円板14の表面に被処理物２が付着してしまうのを防止することができるので、直接加圧型ヒートポンプ式濃縮システム１における熱交換の効率の低減を防止し、また、直接加圧型ヒートポンプ式濃縮システム１のメンテナンスに要する労力や時間を低減させることができる。
【符号の説明】
【００４６】
１  直接加圧型ヒートポンプ式濃縮システム      2,2'  被処理物
３  濃縮器                                    ４  濃縮機構
５  圧縮機                                    ６  圧縮機構
７  排出機構                                  ８  供給機構
９  回収機構                                  10  ケーシング
11  貯留槽                                    12  回収槽
13  水平回転軸                                14  垂直円板
15  スイベルジョイント                        16  駆動モーター
17  連動機構                                  18  スクレーパー
19  吐出ノズル                                20  蒸気出口
21  連結管                                    22  連結管
23  蒸気供給源                                24  開閉バルブ
25  気液分離器                                26  連結管
27,28  排出ポンプ                             29  被処理物供給源
30  供給口                                    31  供給管
32  開閉バルブ                                33  循環出口
34  往路管                                    35  循環ポンプ
36  循環入口                                  37  復路管
38  回収口                                    39  回収ポンプ
40  連結管                                    S0  予備蒸気
S1  蒸気                                      S2  圧縮蒸気
【図１】
0005629119.tif 000002